(57)【要約】【課題】小型、高音質で、使い勝手の良いリケーブル式の音響機器を実現する。【解決手段】リケーブル式の音響機器（例えば、カナル型イヤホン）は、ケーブルユニット５０、Ｌｃｈイヤホン本体６０Ｌ、及びＲｃｈイヤホン本体６０Ｒを備えている。ケーブルユニット５０は、ステレオ信号を入力して、同一形状のＬｃｈプラグ５３Ｌ及びＲｃｈプラグ５３Ｒからそれぞれ出力する。Ｌｃｈイヤホン本体６０Ｌは、Ｌｃｈプラグ５３Ｌが挿脱自在に挿入されるＬｃｈジャック６２Ｌを有し、このＬｃｈジャック６２Ｌから入力されるステレオ信号を音波に変換して使用者の一方の耳へ出力する。Ｒｃｈイヤホン本体６０Ｒは、Ｒｃｈプラグ５３Ｒが挿脱自在に挿入される、Ｌｃｈジャック６２Ｌと同一形状のＲｃｈジャック６２Ｒを有し、このＲｃｈジャック６２Ｒから入力されるステレオ信号を音波に変換して使用者の他方の耳へ出力する。【選択図】図１
0003222314.tif 000002
【実用新案登録請求の範囲】
【請求項１】
左右一対の同位相の第１音声信号及び第２音声信号を有するステレオ信号を、共通プラグを通してケーブルに入力し、前記ケーブルから送られてくる前記ステレオ信号を第１プラグ及び第２プラグからそれぞれ出力するケーブルユニットと、
前記第１プラグが挿脱自在に挿入されて前記第１音声信号及び前記第２音声信号を入力する第１ジャックを有し、前記第１ジャックから入力される前記第１音声信号を第１音波に変換して使用者の一方の耳へ出力する第１電気音響変換器と、
前記第２プラグが挿脱自在に挿入されて前記第１音声信号及び前記第２音声信号を入力する第２ジャックを有し、前記第２ジャックから入力される前記第２音声信号を第２音波に変換して前記使用者の他方の耳へ出力する第２電気音響変換器と、
を備えることを特徴とする音響機器。
【請求項２】
左右一対の同位相の第１音声信号及び第２音声信号を有するステレオ信号を、共通プラグを通してケーブルに入力し、前記ケーブルから送られてくる前記ステレオ信号を第１プラグ及び第２プラグからそれぞれ出力するケーブルユニットと、
前記第１プラグが挿脱自在に挿入されて前記第１音声信号及び前記第２音声信号を入力する第１ジャックを有し、前記第１ジャックから入力される前記第１音声信号及び前記第２音声信号を第１音波に変換して使用者の一方の耳へ出力する第１電気音響変換器と、
前記第２プラグが挿脱自在に挿入されて前記第１音声信号及び前記第２音声信号を入力する第２ジャックを有し、前記第２ジャックから入力される前記第１音声信号及び前記第２音声信号を第２音波に変換して前記使用者の他方の耳へ出力する第２電気音響変換器と、
を備えることを特徴とする音響機器。
【請求項３】
前記第１電気音響変換器は、
前記第１ジャックと、
抵抗及び容量の第１並列回路により構成され、前記第１ジャックから入力される前記第１音声信号の周波数特性を変更して第１変更音声信号を生成する第１イコライザと、
抵抗及び容量の第１直列回路により構成され、前記第１ジャックから入力される前記第２音声信号を逆位相で前記第１変更音声信号に加える第２イコライザと、
前記第１変更音声信号と前記逆位相の第２音声信号との合成信号を前記第１音波に変換して前記使用者の一方の耳へ出力する第１ドライバユニットと、を有し、
前記第２電気音響変換器は、
前記第２ジャックと、
抵抗及び容量の第２並列回路により構成され、前記第２ジャックから入力される前記第２音声信号の周波数特性を変更して第２変更音声信号を生成する第３イコライザと、
抵抗及び容量の第２直列回路により構成され、前記第２ジャックから入力される前記第１音声信号を逆位相で前記第２変更音声信号に加える第４イコライザと、
前記第２変更音声信号と前記逆位相の第１音声信号との合成信号を前記第２音波に変換して前記使用者の他方の耳へ出力する第２ドライバユニットと、を有する
ことを特徴とする請求項２記載の音響機器。
【請求項４】
請求項１〜３のいずれか１項記載の音響機器は、
イヤホン又はヘッドホンである、
ことを特徴とする音響機器。
【考案の詳細な説明】
【技術分野】
【０００１】
本考案は、イヤホン又はヘッドホン等の音響機器において、元から付いているケーブルを取り外して別のケーブルに取り替える（これを「リケーブル」という。）ことが可能なケーブルユニットを有する広音場及び高音質の音響機器に関するものである。
【背景技術】
【０００２】
イヤホン又はヘッドホンのような音響機器には、駆動方式として、ダイナミック型、マグネチック型、バランスド・アーマチュア型、ハイブリッド型、圧電型、クリスタル型、静電型等があり、形状として、インナイヤー型、カナル型、ヘッドバンド型、ネックバンド型、耳掛け型・クリップ型等がある。
特許文献１，２には、イヤーピースを耳孔に挿入するタイプのカナル型イヤホン又はヘッドホンが開示されている。
従来のカナル型イヤホンは、音声信号を音波に変換するドライバユニットを内蔵したハウジングと、このハウジングの前面に突設されてその音波を導出する筒状の音導管と、この音導管の先端部分に装着された耳孔挿入用のイヤーピースと、を有している。ドライバユニットは、ボイスコイル、永久磁石（マグネット）及び振動板（ダイヤフラム）等により構成されている。
【０００３】
図１６は、従来のカナル型イヤホンを示す基本的な音響等価回路図である。
この音響等価回路では、音源１から送られてくる音声信号が、ドライバユニット２で音波に変換され、耳孔３へ放出される構成になっている。ドライバユニット２は、この質量、コンプライアンス及び機械抵抗に対応するインダクタＬｏ、容量Ｃｏ及び抵抗Ｒｏの直列回路からなる単振動系で表される。このドライバユニット２には、入力電圧Ｅｏｕｔが印加される。耳孔３は、音響容量Ｃｅとして表される。
【０００４】
図１７の（Ａ）、（Ｂ）は、図１６の音響等価回路に適切な回路定数を代入して周波数特性を計算した時の計算例を示す周波数特性図であり、横軸は周波数（Ｈｚ）、及び縦軸はドライバユニット２の入力電圧Ｅｏｕｔ（ｄＢ）である。
図１７の実線の波形は、図１６の音響等価回路に、回路定数（例えば、Ｌｏ＝１ｍＨ、Ｃｏ＝１０μＦ、Ｒｏ＝１５Ω、Ｃｅ＝０．７μＦ）を代入した時の波形図である。一点鎖線の波形は、図１６の音響等価回路に回路定数（例えば、Ｌｏ＝０．６ｍＨ、Ｃｏ＝１０μＦ、Ｒｏ＝１５Ω、Ｃｅ＝０．７μＦ）を代入した時の波形図である。
図１７から明らかなように、ドライバユニット２の共振周波数以下の低周波領域において、このドライバユニット２の等価回路が、図１７の（Ａ）に示すように、容量Ｃｏからなる弾性制御となり、周波数特性は平坦となる。
これに対して、ドライバユニット２の共振周波数以上の高周波領域において、このドライバユニット２の等価回路が、図１７の（Ｂ）に示すように、インダクタＬｏからなる慣性制御となり、周波数特性はオクターブ当たり１２ｄＢ減衰し、高周波領域の特性が劣化する。実際には、ドライバユニット２を収容しているハウジングの形状等による気柱共鳴等の影響で、実線の波形には、破線で示すようなピークが発生する。
図１７の（Ｂ）に示すような高周波領域の特性の劣化を改善するには、ドライバユニット２の質量を小さくする必要があるが、実際には難しい。
この改善策として、例えば、特許文献１のカナル型イヤホンでは、ドライバユニットの入力側に接続された音声信号伝送用のケーブルに、インダクタＬ及び容量ＣのＬＣ直列共振回路からなる高域増強回路を組み込み、高周波領域の音圧を向上させて高周波領域の特性を改善している。
【０００５】
図１８は、特許文献１に記載された従来の高域増強回路の構成例を示す回路図である。
音声信号伝送用のケーブル５と図示しないドライバユニットとの間には、高域増強回路１０が接続されている。ケーブル５は、左チャンネル（以下「Ｌｃｈ」という。）音声信号線５ａ、右チャンネル（以下「Ｒｃｈ」という。）音声信号線５ｂ、及び接地線５ｃにより構成されている。高域増強回路１０は、Ｌｃｈ音声信号線５ａと接地線５ｃとの間に接続されたインダクタＬｌ、容量切り替え用のスイッチＳＷｌ、及び容量値の異なる２つの容量Ｃ１ｌ，Ｃ２ｌからなるＬＣ直列共振回路と、Ｒｃｈ音声信号線５ｂと接地線５ｃとの間に接続されたインダクタＬｒ、容量切り替え用のスイッチＳＷｒ、及び容量値の異なる２つの容量Ｃ１ｒ，Ｃ２ｒからなるＬＣ直列共振回路と、により構成されている。
【０００６】
図１９は、ドライバユニットの入力側に図１８の高域増強回路１０が接続された周波数特性図であり、横軸は周波数（Ｈｚ）、及び縦軸は高域増強回路１０の出力側に接続されたドライバユニットの入力電圧Ｅｏｕｔ（ｄＢ）である。
図１９の回路条件１の実線の波形は、スイッチＳＷｌ，ＳＷｒを容量Ｃ１ｌ，Ｃ１ｒ側に切り替えた時の波形図、更に、図１９の回路条件２の破線の波形は、スイッチＳＷｌ，ＳＷｒを容量Ｃ２ｌ，Ｃ２ｒ側に切り替えた時の波形図である。
図１９から明らかなように、高域増強回路１０を設けることにより、高周波領域におけるドライバユニットの入力電圧Ｅｏｕｔの音圧が向上している。
【０００７】
又、特許文献３，４には、ケーブルを交換可能にしたリケーブル式のイヤホン又はヘッドホンが開示されている。
イヤホンやヘッドホンでは、電気音響変換器であるイヤホン本体やヘッドホン本体に比べて、これに接続されたケーブル５の耐久性が低く、断線等の故障する可能性がある。そのため、特許文献３，４において、イヤホン本体やヘッドホン本体に対してケーブルを交換可能にしたリケーブル式のイヤホンやヘッドホンが提案されている。リケーブル式のイヤホンやヘッドホンでは、音質改善を図るために、元から付いているケーブルを取り外して別のケーブルに取り替えることも行われている。
【０００８】
図２０は、例えば、特許文献１のカナル型イヤホンをリケーブル式に変更した場合の従来のリケーブル式のカナル型イヤホンの一例を示す構成図である。
このリケーブル式のカナル型イヤホンは、挿脱自在のケーブルユニット２０と、第１電気音響変換器（例えば、Ｌｃｈイヤホン本体）３０Ｌと、第２電気音響変換器（例えば、Ｒｃｈイヤホン本体）３０Ｒと、により構成されている。
ケーブルユニット２０は、例えば、携帯用音響装置に対して挿脱自在に挿入されて、左右一対の同位相の第１音声信号（例えば、Ｌｃｈ音声信号）及び第２音声信号（例えば、Ｒｃｈ音声信号）を有するステレオ信号を入力する共通プラグ２１を有している。共通プラグ２１は、例えば、導電部として左音声信号部（以下「Ｌ音声信号部」という。）、右音声信号部（以下「Ｒ音声信号部」という。）、及び接地部（以下「Ｇ部」という。）を有する３極の小型単頭プラグにより構成され、この共通プラグ２１に、ケーブル２２の一端が接続されている。ケーブル２２の他端は２分岐して、同一形状の第１プラグ（例えば、Ｌｃｈプラグ）２３Ｌ及び第２プラグ（例えば、Ｒｃｈプラグ）２３Ｒがそれぞれ接続されている。
Ｌｃｈプラグ２３Ｌ及びＲｃｈプラグ２３Ｇは、例えば、芯線の中心コンタクトと外皮（被覆）の外部コンタクトとを有する２端子仕様のＭＭＣＸ形同軸コネクタにより、それぞれ構成されている。Ｌｃｈプラグ２３Ｌは、Ｌｃｈイヤホン本体３０Ｌに挿脱自在に挿着され、Ｒｃｈプラグ２３Ｒは、Ｒｃｈイヤホン本体３０Ｒに挿脱自在に挿着される。
【０００９】
Ｌｃｈイヤホン本体３０Ｌは、Ｌｃｈハウジング３１Ｌを有し、このＬｃｈハウジング３１Ｌ内に、第１ジャック（例えば、Ｌｃｈジャック）３２Ｌ、及び第１ドライバユニット（例えば、Ｌｃｈドライバユニット）３３Ｌが収容されている。Ｌｃｈハウジング３１Ｌの前面側には、左耳挿入用のイヤーピース３４Ｌが突設されている。Ｒｃｈハウジング３１Ｒの前面側にも、右耳挿入用のイヤーピース３４Ｒが突設されている。
Ｌｃｈジャック３２Ｌは、Ｌｃｈプラグ２３Ｌが挿脱自在に挿入されてＬｃｈ音声信号を入力するものであり、２極出力端子としてＬ端子及びＧ端子を有している。このＬ端子及びＧ端子には、Ｌｃｈドライバユニット３３Ｌが接続されている。Ｌｃｈドライバユニット３３Ｌは、入力されたＬｃｈ音声信号を第１音波に変換してイヤーピース３４Ｌへ送出するものである。Ｒｃｈジャック３２Ｒは、Ｒｃｈプラグ２３Ｒが挿脱自在に挿入されてＲｃｈ音声信号を入力するものであり、２極出力端子としてＲ端子及びＧ端子を有している。このＲ端子及びＧ端子には、Ｒｃｈドライバユニット３３Ｒが接続されている。Ｒｃｈドライバユニット３３Ｒは、入力されたＲｃｈ音声信号を第２音波に変換してイヤーピース３４Ｒへ送出するものである。
【００１０】
図２０のカナル型イヤホンでは、Ｌｃｈプラグ２３ＬをＬｃｈイヤホン本体３０Ｌへ挿着すると共に、Ｒｃｈプラグ２３ＲをＲｃｈイヤホン本体３０Ｒへ挿着する。そして、共通プラグ２１を携帯用音響装置へ挿着すれば、その携帯用音響装置から出力されるステレオ信号の音波を、イヤーピース３４Ｌ，３４Ｒを通して両耳で聴くことができる。
【先行技術文献】
【特許文献】
【００１１】
【特許文献１】特許第５９９７８０６号公報
【特許文献２】特開２００９−１４１８８０号公報
【特許文献３】特開２０１１−２３４１２４号公報
【特許文献４】特開２０１６−５１９５０号公報
【考案の概要】
【考案が解決しようとする課題】
【００１２】
しかしながら、特許文献１に記載された従来のカナル型イヤホンや、図２０に示された従来のリケーブル式のカナル型イヤホンでは、次の（Ａ）、（Ｂ）のような課題がある。
（Ａ）  特許文献１に記載された従来のカナル型イヤホンにおいて、図１８の高域増強回路１０を効果的に働かせるためには、インダクタＬｌ，Ｌｒの直流抵抗が小さい方が良い。ケーブル５の抵抗の影響を避けるため、高域増強回路１０は、なるべく音源側に近く設置する必要がある。しかし、直流抵抗が小さく、必要なインダクタンス値を有するインダクタＬｌ，Ｌｒは、寸法（サイズ）が大きくなるので、イヤホンの小型化が難しい。そのため、小型で、広音場及び高音質のイヤホンやヘッドホン等の音響機器を実現することが困難である。
（Ｂ）  図２０に示された従来のリケーブル式のカナル型イヤホンにおいて、Ｌｃｈイヤホン本体３０Ｌ内のＬｃｈジャック３２Ｌには、Ｌｃｈプラグ２３Ｌを挿入し、Ｒｃｈイヤホン本体３０Ｒ内のＲｃｈジャック３２Ｒには、Ｒｃｈプラグ２３Ｒを挿入することにより、左右の耳で、正しく、ステレオ信号の再生音を聴くことができる。しかし、Ｌｃｈプラグ２３ＬとＲｃｈプラグ２３Ｒとは、同一形状なので、もし誤って２つのプラグ２３Ｌ，２３Ｒを逆に挿入した場合、正しい再生音の音場が得られない。そのため、Ｌｃｈプラグ２３Ｌ及びＲｃｈプラグ２３Ｒを、誤りなく、正しくＬｃｈジャック３２Ｌ及びＲｃｈジャック３２Ｒに挿入しなければならず、不利不便で、使い勝手が悪い。
【課題を解決するための手段】
【００１３】
請求項１に係る考案の音響機器は、左右一対の同位相の第１音声信号及び第２音声信号を有するステレオ信号を、共通プラグを通してケーブルに入力し、前記ケーブルから送られてくる前記ステレオ信号を第１プラグ及び第２プラグからそれぞれ出力するケーブルユニットと、前記第１プラグが挿脱自在に挿入されて前記第１音声信号及び前記第２音声信号を入力する第１ジャックを有し、前記第１ジャックから入力される前記第１音声信号を第１音波に変換して使用者の一方の耳へ出力する第１電気音響変換器と、前記第２プラグが挿脱自在に挿入されて前記第１音声信号及び前記第２音声信号を入力する第２ジャックを有し、前記第２ジャックから入力される前記第２音声信号を第２音波に変換して前記使用者の他方の耳へ出力する第２電気音響変換器と、を備えている。
【００１４】
請求項２に係る考案の音響機器は、左右一対の同位相の第１音声信号及び第２音声信号を有するステレオ信号を、共通プラグを通してケーブルに入力し、前記ケーブルから送られてくる前記ステレオ信号を第１プラグ及び第２プラグからそれぞれ出力するケーブルユニットと、前記第１プラグが挿脱自在に挿入されて前記第１音声信号及び前記第２音声信号を入力する第１ジャックを有し、前記第１ジャックから入力される前記第１音声信号及び前記第２音声信号を第１音波に変換して使用者の一方の耳へ出力する第１電気音響変換器と、前記第２プラグが挿脱自在に挿入されて前記第１音声信号及び前記第２音声信号を入力する第２ジャックを有し、前記第２ジャックから入力される前記第１音声信号及び前記第２音声信号を第２音波に変換して前記使用者の他方の耳へ出力する第２電気音響変換器と、を備えている。
【００１５】
請求項３に係る考案の音響機器は、請求項２に係る考案において、前記第１電気音響変換器は、前記第１ジャックと、抵抗及び容量の第１並列回路により構成され、前記第１ジャックから入力される前記第１音声信号の周波数特性を変更して第１変更音声信号を生成する第１イコライザと、抵抗及び容量の第１直列回路により構成され、前記第１ジャックから入力される前記第２音声信号を逆位相で前記第１変更音声信号に加える第２イコライザと、前記第１変更音声信号と前記逆位相の第２音声信号との合成信号を前記第１音波に変換して前記使用者の一方の耳へ出力する第１ドライバユニットと、を有している。更に、前記第２電気音響変換器は、前記第２ジャックと、抵抗及び容量の第２並列回路により構成され、前記第２ジャックから入力される前記第２音声信号の周波数特性を変更して第２変更音声信号を生成する第３イコライザと、抵抗及び容量の第２直列回路により構成され、前記第２ジャックから入力される前記第１音声信号を逆位相で前記第２変更音声信号に加える第４イコライザと、前記第２変更音声信号と前記逆位相の第１音声信号との合成信号を前記第２音波に変換して前記使用者の他方の耳へ出力する第２ドライバユニットと、を有している。
【００１６】
請求項４に係る考案の音響機器は、請求項１〜３のいずれか１項記載の音響機器が、例えば、イヤホン又はヘッドホンである。
【考案の効果】
【００１７】
請求項１及び２に係る考案の音響機器によれば、ケーブルユニットの第１プラグと第２プラグとから、第１音声信号及び第２音声信号を有するステレオ信号がそれぞれ出力され、その第１プラグが挿入される第１ジャックを有する第１電気音響変換器側で、入力された第１音声信号が選択されて第１音波に変換されて一方の耳へ出力され、その第２プラグが挿入される第２ジャックを有する第２電気音響変換器側で、入力された第２音声信号が選択されて第２音波に変換されて他方の耳へ出力される。そのため、第１プラグ及び第２プラグの左右を気にすることなく、第１ジャック及び第２ジャックへ挿入しても、第１電気音響変換器及び第２電気音響変換器において音声信号が正しく再生される。これにより、使い勝手を向上できる。
【００１８】
請求項３に係る考案の音響機器によれば、第１電気音響変換器において、第１音声信号から、第１イコライザにより生成された第１変更音声信号に対し、第２イコライザにより、第２音声信号を逆位相で加え、更に、第２電気音響変換器において、第２音声信号から、第３イコライザにより生成された第２変更音声信号に対し、第４イコライザにより、第１音声信号を逆位相で加えるようにしているので、音場を調整することができる。この音場の調整量や周波数特性も、第１、第２イコライザの容量及び抵抗の値と、第３、第４イコライザの容量及び抵抗の値と、で容易に変更及び調整ができる。そのため、従来のインダクタ及び容量の値による変更及び調整に比べ、小型及び安価である。
【図面の簡単な説明】
【００１９】
【図１】本考案の実施例１の音響機器（例えば、リケーブル式のカナル型イヤホン）を示す構成図
【図２】図１の回路部分の拡大図
【図３】スピーカによるステレオ聴取を示す図
【図４】スピーカによるステレオ信号再生の音像の定位を説明するための図
【図５】スピーカによるステレオ信号再生の音像の定位と信号の関係を説明するための図
【図６】イヤホンによるステレオ信号再生の音像の定位を説明するための図
【図７】実際のイヤホンによるステレオ信号再生の音像の定位を説明するための図
【図８】図２のＬｃｈイヤホン本体６０Ｌ内の回路部分においてＬｃｈ音声信号ＳｉｎＬによるＬｃｈドライバユニット６７Ｌの入力電圧Ｅｏｕｔを計算するための回路図
【図９】図２のＬｃｈイヤホン本体６０Ｌ内の回路部分においてＲｃｈ音声信号ＳｉｎＲが加えられた時のＬｃｈドライバユニット６７Ｌへの逆位相入力電圧Ｅｏｕｔを計算するための回路図
【図１０】図８のＬｃｈドライバユニット６７Ｌに掛かる入力電圧Ｅｏｕｔの周波数特性図
【図１１】図９のＬｃｈドライバユニット６７Ｌに逆位相で加えられるＲｃｈ音声信号ＳｉｎＲの電圧（ｄＢ）の周波数特性を示す図
【図１２】図８及び図９のＬｃｈドライバユニット６７Ｌに掛かる入力電圧Ｅｏｕｔの周波数特性図
【図１３】図８及び図９のＬｃｈドライバユニット６７Ｌに掛かる入力電圧Ｅｏｕｔの周波数特性図
【図１４】本考案の実施例２におけるリケーブル式のカナル型イヤホンを示す概略の構成図
【図１５】本考案の実施例３におけるバランス駆動対応のリケーブル式のカナル型イヤホンを示す概略の構成図
【図１６】従来のイヤホンを示す基本的な音響等価回路図
【図１７】図１６の音響等価回路の計算例を示す周波数特性図
【図１８】従来の高域増強回路の構成例を示す回路図
【図１９】ドライバユニットの入力側に図１８の高域増強回路が接続された周波数特性図
【図２０】従来のリケーブル式のカナル型イヤホンの構成図
【考案を実施するための形態】
【００２０】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００２１】
（実施例１の参考例）
図３は、特許文献２等に記載されたスピーカによるステレオ聴取を示す図である。
図３では、使用者３５の左右前方に置かれたＬｃｈスピーカ４０ＬとＲｃｈスピーカ４０Ｒとからステレオ信号を聴取する状態が示されている。
使用者３５の左耳３５ｌには、Ｌｃｈスピーカ４０Ｌからの直接の音波Ｓ４０Ｌと、Ｒｃｈスピーカ４０Ｒからの、右耳３５ｒよりやや遅れた音波Ｓ４０Ｒ１が入る。使用者３５の右耳３５ｒについても同様、Ｒｃｈスピーカ４０Ｒからの直接の音波Ｓ４０Ｒと、Ｌｃｈスピーカ４０Ｌからの、左耳３５ｌよりやや遅れた音波Ｓ４０Ｌ１が入る。この空間クロストークと呼ばれる現象を利用して、ステレオ信号再生では立体的な音像空間を作り出している。
ここで、空間クロストークとは、スピーカ再生で音を聴く場合、Ｌｃｈスピーカ４０Ｌの再生音である音波Ｓ４０Ｌは、左耳３５ｌと共に遅れて右耳３５ｒにも到達し、又、Ｒｃｈスピーカ４０Ｒの再生音である音波Ｓ４０Ｒは、右耳３５ｒと共に遅れて左耳３５ｌにも到達するので、これが両耳間のクロストークと言われる。又、音像空間とは、方向や距離を持った音の空間を言う。
【００２２】
図４は、スピーカによるステレオ信号再生の音像の定位を説明するための図である。
ここで、音像定位とは、音の聞こえた方向や距離を知覚する能力を音像定位能と言い、この音像（方向や距離を持った音）の位置を定めることである。この音像定位では、左右の耳３５ｌ，３５ｒに聞こえる音の時間差を利用している。
図３のステレオ信号再生では、左右前方のスピーカ４０Ｌ，４０Ｒの位置だけでなく、図４に示すように、スピーカ４０Ｌ，４０Ｒの中央（Ｆｃ）や左側面（Ｌｓ）及び右側面（Ｒｓ）にも音像Ｆｃ，Ｌｓ、Ｒｓを感じることができる。
【００２３】
この時のＬｃｈ及びＲｃｈの音波Ｓ４０Ｌ，Ｓ４０Ｌ１，−４０Ｌ１について考えてみる。
ＬｃｈとＲｃｈのスピーカ４０Ｌ，４０Ｒから同レベル及び同位相の音波Ｓ４０Ｌ，Ｓ４０Ｒを出せば、それは正中面の音像Ｆｃからの音波と同じなので、正中面の音像Ｆｃを感じる。Ｌｃｈスピーカ４０Ｌからだけの音波Ｓ４０Ｌは、当然Ｌｃｈスピーカ４０Ｌの位置に音像を感じる。又、Ｌｃｈスピーカ４０Ｌから右耳３５ｒに入る音波Ｓ４０Ｌ１に対し、Ｒｃｈスピーカ４０Ｒから、音波Ｓ４０Ｌに適切な遅延をかけ位相を反転した音波−４０Ｌ１を再生すれば、右耳３５ｒ付近では音波Ｓ４０Ｌ１が打ち消され、左耳３５ｌの音波Ｓ４０Ｌだけが知覚される。これはあたかも左側の音像Ｌｓからの音波（Ｓ４０Ｌ）と同じなので、左側の音像Ｌｓを感じる。
Ｒｃｈスピーカ４０Ｒや右側の音像Ｒｓについても同様である。
【００２４】
図５は、スピーカによるステレオ信号再生の音像の定位と信号の関係を説明するための図である。
図３及び図４の説明から、図５に示すように、Ｌｃｈスピーカ４０Ｌ及びＲｃｈスピーカ４０Ｒに反対側のチャンネルの音波Ｓ４０Ｒ，Ｓ４０Ｌを適切なレベル且つ同位相で加えた時は（Ｓ４０Ｌ＋α１・Ｓ４０Ｒ，Ｓ４０Ｒ＋α２・Ｓ４０Ｌ）、Ｌｃｈスピーカ４０ＬとＲｃｈスピーカ４０Ｒとの間に音像Ｆｃを定位できる。同じく、Ｌｃｈスピーカ４０Ｌ及びＲｃｈスピーカ４０Ｒに、反対側のチャンネルの音波を適切なレベルで遅延させて逆位相で加えた時は（Ｓ４０Ｌ−β１・Ｓ４０Ｒ，Ｓ４０Ｒ−β２・Ｓ４０Ｌ）、Ｌｃｈスピーカ４０ＬとＲｃｈスピーカ４０Ｒとの外側に音像Ｌｓ，Ｒｓを定位できる。
以上から、Ｌｃｈの音波Ｓ４０Ｌには、Ｒｃｈの同相成分や遅延された逆相成分も含んでいると考えられる。録音技術者は、これらの比率、遅延時間、及び位相、更には周波数特性等を調整して、所望の再生音場を作っている。
【００２５】
図６は、イヤホンによるステレオ信号再生の音像の定位を説明するための図である。
図６に示すようなステレオ信号をイヤホンで聴いた時の音像の定位を考える。
イヤホンでの聴取では、図３のような空間クロストークは起こらず、耳たぶや身体からの反射の影響（周波数特性の変化）もない。又、直接、左右の耳３５ｌ，３５ｒに音波が届くので、身体を動かした時の音質及び位相等の変化もない。従って、音圧差、位相差、及び遅延時間等の情報から、音源の位置を判断しようとするが、脳が混乱し、図５の再生音場は、図６のようになる。この音像Ｆｃのような頭内定位は、日常経験しない現象で、イヤホン聴取時の欠点の一つである。
ここで、頭内定位とは、イヤホンやヘッドホンを使って音楽を再生した時、左右の耳３５ｌ，３５ｒの横で音が鳴っているはずなのに、使用者３５の頭の中で再生されているように感じることを言う。この反対の概念は、頭外定位である。使用者３５は、左右の耳３５ｌ，３５ｒへの到達時間差によって音源までの距離や方向を判断している。
音像Ｌｓは、図４から音波Ｓ４０Ｌが先に聞こえ、遅れて音波−４０Ｌ１が聞こえる。この際、先行音効果により、先に聞こえる左方向に音源Ｌｓを感じる。又、その時に、遅延時間だけ遠方にあると判断すると思われる。従って、音像Ｌｓは、Ｌｃｈスピーカ４０Ｌよりも遠くに聞こえる。
ここで、先行音効果とは、数ミリから数十ミリ秒の時間差で到来した２つの音源の音像が、最初に到来した音の音源方向にまとめて知覚される現象（ｐｒｅｃｅｄｅｎｃｅ  ｅｆｆｅｒｔ）を言う。この先行音効果は、ハース効果（Ｈａａｓ  ｅｆｆｅｃｔ）や第１波面の法則（ｔｈｅ  ｌａｗ  ｏｆ  ｔｈｅ  ｆｉｒｓｔ  ｗａｖｅ  ｆｒｏｎｔ）と言われることもある。
【００２６】
図７は、実際のイヤホンによるステレオ信号再生の音像の定位を説明するための図である。
実際のイヤホンでの聴取では、図６のように小さくまとまって聞こえるわけではない。図５のような信号処理や残響の付加によって、概ね図６のような配列ではあるが、図７に示すように、水平面や上下方向にも広がって聞こえる。
それぞれの音像領域は分離しているわけではなく、お互いに重なり合って再生音場を形成している。脳が日常の聴取状態に近づけるためか、全体はやや前方の音像Ｆｃに定位することが多い（但し、これはモデルにより異なる）。正面中央の音像Ｆｃは、モデルによっては、後頭部に音像Ｆｃ１が定位するものもある。
【００２７】
（実施例１の構成）
図１は、本考案の実施例１の音響機器（例えば、リケーブル式のカナル型イヤホン）を示す概略の構成図である。更に、図２は、図１の回路部分の拡大図である。
図１に示すリケーブル式のカナル型イヤホンは、挿脱自在のケーブルユニット５０と、第１電気音響変換器（例えば、Ｌｃｈイヤホン本体）６０Ｌと、第２電気音響変換器（例えば、Ｒｃｈイヤホン本体）６０Ｒと、により構成されている。
ケーブルユニット５０は、例えば、携帯用音響装置に対して挿脱自在に挿入されて、左右一対の同位相の第１音声信号（例えば、Ｌｃｈ音声信号）ＳｉｎＬ及び第２音声信号（例えば、Ｒｃｈ音声信号）ＳｉｎＲを有するステレオ信号を入力する共通プラグ５１を有している。共通プラグ５１は、例えば、挿入部の口径が３．５φ（ｍｍ）の３極小形単頭プラグであり、Ｌチップ、Ｒリング及びＧスリーブからなる略円柱状の導電部５１ａと、Ｌチップ及びＲリング間とＲリング及びＧスリーブ間とを絶縁する絶縁カラーからなる絶縁部５１ｂと、つまみ５１ｃと、により構成されている。つまみ５１ｃ内の端子部には、３線式ケーブル５２の一端が接続されている。このケーブル５２の２分岐した２つの他端には、同一形状の第１プラグ（例えば、Ｌｃｈプラグ）５３Ｌ及び第２プラグ（例えば、Ｒｃｈプラグ）５３Ｒがそれぞれ接続されている。
ここで、一般のイヤホンのケーブルは、共通プラグ５１からＬ線／Ｒ線／Ｇ線の３本の信号線が延びて、分岐部から先はＬｃｈ用にはＬ線とＧ線、Ｒｃｈ用にはＲ線とＧ線の各２本の信号線になっている。
これに対して、本実施例１の３線式ケーブル５２では、共通プラグ５１から、Ｌ線／Ｒ線／Ｇ線の３本の信号線からなるケーブル本体５２ａが延びて、分岐部５２ｂから先が、Ｌ線／Ｒ線／Ｇ線の３本の信号線からなるＬｃｈ側分岐ケーブル５２ｃと、Ｌ線／Ｒ線／Ｇ線の３本の信号線からなるＲｃｈ側分岐ケーブル５２ｄと、になっている。Ｌｃｈ側分岐ケーブル５２ｃには、Ｌｃｈプラグ５３Ｌが接続され、更に、Ｒｃｈ側分岐ケーブル５２ｄには、Ｒｃｈプラグ５３Ｒが接続されている。
このように、本実施例１の３線式ケーブル５２では、分岐ケーブル５２ｃ，５２ｄとして、片側各３本の信号線が必要になる。しかし、このような３線式ケーブル５２の製造は、困難ではない。その理由は、従来のケーブルでも、分岐部以降も３芯のケーブルを使っているが、必要な２本しか接続していないから、本実施例１の３線式ケーブル５２を容易に製造できる。
【００２８】
分岐ケーブル５２ｃに接続されたＬｃｈプラグ５３Ｌは、例えば、挿入部の口径が２．５φ（ｍｍ）の３極超小形単頭プラグであり、Ｌチップ、Ｒリング及びＧスリーブからなる略円柱状の導電部５３Ｌａと、Ｌチップ及びＲリング間とＲリング及びＧスリーブ間とを絶縁する絶縁カラーからなる絶縁部５３Ｌｂと、つまみ５３Ｌｃと、により構成されている。つまみ５３Ｌｃ内の端子部は、Ｌｃｈ側分岐ケーブル５２ｃの他端に接続されている。同様に、分岐ケーブル５２ｄに接続されたＲｃｈプラグ５３Ｒは、挿入部の口径が２．５φ（ｍｍ）の３極超小形単頭プラグであり、Ｌチップ、Ｒリング及びＧスリーブからなる略円柱状の導電部５３Ｒａと、Ｌチップ及びＲリング間とＲリング及びＧスリーブ間とを絶縁する絶縁カラーからなる絶縁部５３Ｒｂと、つまみ５３Ｒｃと、により構成されている。つまみ５３Ｒｃ内の端子部は、Ｒｃｈ側分岐ケーブル５２ｄの他端に接続されている。これらのＬｃｈプラグ５３Ｌは、Ｌｃｈイヤホン本体６０Ｌに挿脱自在に挿着され、Ｒｃｈプラグ５３Ｒは、Ｒｃｈイヤホン本体６０Ｒに挿脱自在に挿着される。
【００２９】
Ｌｃｈイヤホン本体６０Ｌは、Ｌｃｈハウジング６１Ｌを有し、このＬｃｈハウジング６１Ｌ内に、第１ジャック（例えば、３極Ｌｃｈジャック）６２Ｌ、図２の回路部分、及び第１ドライバユニット（例えば、Ｌｃｈドライバユニット）６７Ｌが収容されている。Ｌｃｈハウジング６１Ｌの前面側には、音導部材を構成する筒状の音導管６８Ｌが突設されている。音導管６８Ｌの外周には、音導部材を構成する左耳孔挿入用のイヤーピース６９Ｌが着脱自在に装着されている。
同様に、Ｒｃｈイヤホン本体６０Ｒは、Ｒｃｈハウジング６１Ｒを有し、このＲｃｈハウジング６１Ｒ内に、３極Ｌｃｈジャック６２Ｌと同一形状の第２ジャック（例えば、３極Ｒｃｈジャック）６２Ｒ、図２の回路部分、及び第２ドライバユニット（例えば、Ｒｃｈドライバユニット）６７Ｒが収容されている。Ｒｃｈハウジング６１Ｒの前面側には、音導部材を構成する筒状の音導管６８Ｒが突設されている。音導管６８Ｒの外周には、音導部材を構成する右耳孔挿入用のイヤーピース６９Ｒが着脱自在に装着されている。
【００３０】
Ｌｃｈジャック６２Ｌは、ハウジング６１Ｌ内の後部に収容され、Ｌｃｈプラグ５３Ｌが挿脱自在に挿入されてＬｃｈ音声信号ＳｉｎＬ及びＲｃｈ音声信号ＳｉｎＲを入力するものである。Ｌｃｈジャック６２Ｌ内には、Ｌｃｈプラグ５３Ｌの導電部に接触する３極接触部が設けられ、この３極接触部に、Ｌ端子、Ｒ端子及びＧ端子からなる３極出力端子６２Ｌａが接続されている。この３極出力端子６２Ｌａには、図２の回路部分を介して、Ｌｃｈドライバユニット６７Ｌが接続されている。
同様に、Ｒｃｈジャック６２Ｒは、ハウジング６１Ｒ内の後部に収容され、Ｒｃｈプラグ５３Ｒが挿脱自在に挿入されてＬｃｈ音声信号ＳｉｎＬ及びＲｃｈ音声信号ＳｉｎＲを入力するものである。Ｒｃｈジャック６２Ｒ内には、Ｒｃｈプラグ５３Ｒの導電部に接触する３極接触部を有し、この３極接触部に、Ｌ端子、Ｒ端子及びＧ端子からなる３極出力端子６２Ｒａが接続されている。この３極出力端子６２Ｒａには、図２の回路部分を介して、Ｒｃｈドライバユニット６７Ｒが接続されている。
【００３１】
図２のハウジング６１Ｌ内の回路部分は、Ｌｃｈ音声信号ＳｉｎＬを入力する入力端子６３Ｌ、Ｒｃｈ音声信号ＳｉｎＲを入力する入力端子６３ＬＲ、及び接地端子６３ＬＧを有している。入力端子６３Ｌには、Ｌｃｈドライバユニット６７Ｌの＋側入力端子が接続されている。接地端子６３ＬＧには、第１イコライザ６５Ｌ及び接続点ＮＬを介して、Ｌｃｈドライバユニット６７Ｌの−側入力端子が接続されている。更に、入力端子６３ＬＲには、第２イコライザ６６Ｌ及び接続点ＮＬを介して、Ｌｃｈドライバユニット６７Ｌの−側入力端子が接続されている。
第１イコライザ６５Ｌは、接地端子６３ＬＧと、Ｌｃｈドライバユニット６７Ｌの−側入力端子に接続された接続点ＮＬと、の間に接続され、入力されるＬｃｈ音声信号ＳｉｎＬの特定の周波数帯域を強調又は減少させるために、そのＬｃｈ音声信号ＳｉｎＬの周波数特性を変更して第１変更音声信号を接続点ＮＬに生成する回路であり、例えば、抵抗Ｒ１及び容量Ｃ１の第１並列回路により構成されたインピーダンスＺ１を有している。第２イコライザ６６Ｌは、接地端子６３ＬＲと接続点ＮＬとの間に接続され、入力されるＲｃｈ音声信号ＳｉｎＲを、接続点ＮＬからＬｃｈドライバユニット６７Ｌに逆位相で加える回路であり、例えば、抵抗Ｒ２及び容量Ｃ２の第１直列回路により構成されたインピーダンスＺ２を有している。
【００３２】
Ｌｃｈドライバユニット６７Ｌは、接続点ＮＬ上における第１変更音声信号と、接続点ＮＬからＬｃｈドライバユニット６７Ｌに逆位相で流れるＲｃｈ音声信号ＳｉｎＲと、の合成信号を、第１音波に変換して音導管６８Ｌへ出力するものである。このＬｃｈドライバユニット６７Ｌは、例えば、ボイスコイル、マグネット及びダイヤフラム等により構成され、抵抗で表されたインピーダンスＺｄを有している。
音導管６８Ｌは、Ｌｃｈドライバユニット６７Ｌから出力された第１音波をイヤーピース６９Ｌへ放出するものである。イヤーピース６９Ｌは、音導管６８Ｌから放出された第１音波を左耳孔へ導くものであり、例えば、シリコーンゴム等の弾性部材により形成された略傘形をしている。
同様に、図２のハウジング６１Ｒ内の回路部分は、Ｒｃｈ音声信号ＳｉｎＲを入力する入力端子６３Ｒ、Ｌｃｈ音声信号ＳｉｎＬを入力する入力端子６３ＲＬ、及び接地端子６３ＲＧを有している。入力端子６３Ｒには、Ｒｃｈドライバユニット６７Ｒの＋側入力端子が接続されている。接地端子６３ＲＧには、第３イコライザ６５Ｒ及び接続点ＮＲを介して、Ｒｃｈドライバユニット６７Ｒの−側入力端子が接続されている。更に、入力端子６３ＲＬには、第４イコライザ６６Ｒ及び接続点ＮＲを介して、Ｒｃｈドライバユニット６７Ｒの−側入力端子が接続されている。
【００３３】
第３イコライザ６５Ｒは、接地端子６３ＲＧと、Ｒｃｈドライバユニット６７Ｒの−側入力端子に接続された接続点ＮＲと、の間に接続され、入力されるＲｃｈ音声信号ＳｉｎＲの特定の周波数帯域を強調又は減少させるために、そのＲｃｈ音声信号ＳｉｎＲの周波数特性を変更して第２変更音声信号を接続点ＮＲに生成する回路であり、例えば、抵抗Ｒ１及び容量Ｃ１の第２並列回路により構成されたインピーダンスＺ１を有している。第４イコライザ６６Ｒは、接地端子６３ＲＧと接続点ＮＲとの間に接続され、入力されるＬｃｈ音声信号ＳｉｎＬを、接続点ＮＲからＲｃｈドライバユニット６７Ｒに逆位相で加える回路であり、例えば、抵抗Ｒ２及び容量Ｃ２の第２直列回路により構成されたインピーダンスＺ２を有している。
【００３４】
Ｒｃｈドライバユニット６７Ｒは、接続点ＮＲ上における第２変更音声信号と、接続点ＮＲからＲｃｈドライバユニット６７Ｒに逆位相で流れるＬｃｈ音声信号ＳｉｎＬと、の合成信号を、第２音波に変換して音導管６８Ｒへ出力するものである。このＲｃｈドライバユニット６７Ｒは、例えば、ボイスコイル、マグネット及びダイヤフラム等により構成され、抵抗で表されたインピーダンスＺｄを有している。
音導管６８Ｒは、Ｒｃｈドライバユニット６７Ｒから出力された第２音波をイヤーピース６９Ｒへ放出するものである。イヤーピース６９Ｒは、音導管６８Ｒから放出された第２音波を右耳孔へ導くものであり、例えば、シリコーンゴム等の弾性部材により形成された略傘形をしている。
【００３５】
（実施例１の全体の概略の動作）
本実施例１のカナル型イヤホンを使用する場合、ユーザは、ケーブルユニット５０における同一形状のＬｃｈプラグ５３Ｌ及びＲｃｈプラグ５３Ｒを、Ｌｃｈイヤホン本体６０Ｌ内のＬｃｈジャック６２Ｌ及びＲｃｈイヤホン本体６０Ｒ内のＲｃｈジャック６２Ｒに、それぞれ挿着する。この際、同一形状のＬｃｈプラグ５３Ｌ及びＲｃｈプラグ５３Ｒは、左右を気にすることなく、同一形状のＬｃｈジャック６２Ｌ及びＲｃｈジャック６２Ｒへ挿入しても、Ｌｃｈイヤホン本体６０Ｌ及びＲｃｈイヤホン本体６０Ｒ内の回路部分と正しく接続される。
【００３６】
図示しない携帯用音響装置から出力されるステレオ信号を聴くには、ケーブルユニット５０の共通プラグ５１を携帯用音響装置へ挿着し、Ｌｃｈ側のイヤーピース６９Ｌを左耳孔へ挿入すると共に、Ｒｃｈ側のイヤーピース６９Ｒを右耳孔へ挿入する。
すると、ケーブルユニット５０を通して送られてくるステレオ信号のＬｃｈ音声信号ＳｉｎＬ及びＲｃｈ音声信号ＳｉｎＲが、Ｌｃｈイヤホン本体６０Ｌ内のＬｃｈジャック６２Ｌ及びＲｃｈイヤホン本体６０Ｒ内のＲｃｈジャック６２Ｒを通して、回路部分のＬｃｈ側の入力端子６３Ｌ，６３ＬＲとＲｃｈ側の入力端子６３Ｒ，６３ＲＬとに入力される。
【００３７】
Ｌｃｈイヤホン本体６０Ｌ内の回路部分において、入力端子６３Ｌに入力されたＬｃｈ音声信号ＳｉｎＬは、イコライザ６５Ｌにより、高周波領域の周波数特性が変更され、この第１変更音声信号が接続点ＮＬに生成される。更に、入力端子６３ＬＲに入力されたＲｃｈ音声信号ＳｉｎＲが、イコライザ６６Ｌへ入力される。イコライザ６６Ｌでは、入力されたＲｃｈ音声信号ＳｉｎＲを、接続点ＮＬからＬｃｈドライバユニット６７Ｌの−側入力端子へ供給する。すると、第１変更音声信号と逆位相のＲｃｈ音声信号ＳｉｎＲとが合成され、合成信号が生成される。生成された合成信号は、Ｌｃｈドライバユニット６７Ｌによって第１音波に変換され、音導管６８Ｌを経由してイヤーピース６９Ｌから左耳孔へ放出される。
同様に、Ｒｃｈイヤホン本体６０Ｒ内の回路部分において、入力端子６３Ｒに入力されたＲｃｈ音声信号ＳｉｎＲは、イコライザ６５Ｒにより、高周波領域の周波数特性が変更され、この第２変更音声信号が接続点ＮＲに生成される。更に、入力端子６３ＲＬに入力されたＬｃｈ音声信号ＳｉｎＬが、イコライザ６６Ｒへ入力される。イコライザ６６Ｒでは、入力されたＬｃｈ音声信号ＳｉｎＬを、接続点ＲＬからＲｃｈドライバユニット６７Ｒの−側入力端子へ供給する。すると、第２変更音声信号と逆位相のＬｃｈ音声信号ＳｉｎＬとが合成され、合成信号が生成される。生成された合成信号は、Ｒｃｈドライバユニット６７Ｒによって第２音波に変換され、音導管６８Ｒを経由してイヤーピース６９Ｒから右耳孔へ放出される。
【００３８】
（実施例１の詳細な動作）
図８は、図２のＬｃｈイヤホン本体６０Ｌ内の回路部分においてＬｃｈ音声信号ＳｉｎＬによるＬｃｈドライバユニット６７Ｌの入力電圧Ｅｏｕｔを計算するための回路図である。
図８において、ＺｄはＬｃｈドライバユニット６７Ｌのインピーダンス（抵抗で近似したもの）、インピーダンスＺ１はイコライザ６５Ｌのインピーダンス、Ｚ２はイコライザ６６Ｌのインピーダンスである。Ｌｃｈ音声信号ＳｉｎＬ側の音源の内部抵抗及び導線抵抗の値は０とする。接地端子６３ＬＧと入力端子６３ＬＲとの間の破線は、Ｒｃｈ音源インピーダンス値＝０による仮想ショートを示す。
回路定数は、例えば、以下の通りである。
Ｚｄ＝３２Ω
Ｃ１＝４．７μＦ
Ｒ１＝２２Ω
Ｃ２＝１０μＦ
Ｒ２＝３３Ω
【００３９】
図８に示すように、Ｌｃｈ音声信号ＳｉｎＬによるＬｃｈドライバユニット６７Ｌの入力電圧Ｅｏｕｔについて説明する。
Ｌｃｈ音声信号ＳｉｎＬは、イコライザ６５ＬのインピーダンスＺ１により、高周波領域が増強の特性となる。Ｒｃｈ音声信号源のインピーダンスを０と仮定すれば、図８に示すように、入力端子６３ＬＲと接地端子６３ＬＧは、破線のように短絡される。そのため、イコライザ６６ＬのインピーダンスＺ２は、イコライザ６５Ｌに対して並列接続となる。従って、Ｌｃｈ音声信号ＳｉｎＬの電圧をＥｌｉｎ、イコライザ６５ＬのインピーダンスＺ１とイコライザ６６ＬのインピーダンスＺ２との並列接続をＺ１／／Ｚ２と表せば、Ｌｃｈドライバユニット６７Ｌの入力電圧Ｅｏｕｔは、次式（１）のようになる。
Ｅｏｕｔ＝［Ｚｄ／（Ｚｄ＋（Ｚ１／／Ｚ２））］＊Ｅｌｉｎ        （１）
図９は、図２のＬｃｈイヤホン本体６０Ｌ内の回路部分においてＲｃｈ音声信号ＳｉｎＲが加えられた時のＬｃｈドライバユニット６７Ｌへの逆位相入力電圧Ｅｏｕｔを計算するための回路図である。
【００４０】
図９において、Ｒｃｈ音声信号ＳｉｎＲによるＬｃｈドライバユニット６７Ｌの入力電圧Ｅｏｕｔについて説明する。
Ｒｃｈ音声信号ＳｉｎＲは、イコライザ６６Ｌを介して接続点ＮＬに至る。Ｌｃｈ音声信号源のインピーダンスを０と仮定すれば、図９に示すように、入力端子６３Ｌと接地端子６３ＬＧは、破線のように短絡される。そのため、イコライザ６５ＬのインピーダンスＺ１は、Ｌｃｈドライバユニット６７ＬのインピーダンスＺｄに対して並列接続となる。従って、Ｒｃｈ音声信号ＳｉｎＲの電圧をＥｒｉｎ、イコライザ６５ＬのインピーダンスＺ１とＬｃｈドライバユニット６７ＬのインピーダンスＺｄの並列接続をＺ１／／Ｚｄと表せば、Ｌｃｈドライバユニット６７Ｌの入力電圧Ｅｏｕｔは、次式（２）のようになる。
Ｅｏｕｔ＝［Ｚ１／／Ｚｄ）／（Ｚ２＋（Ｚ１／／Ｚｄ））］＊Ｅｒｉｎ    （２）
ここで、Ｒｃｈ音声信号ＳｉｎＲの電圧Ｅｒｉｎが、Ｌｃｈ音声信号ＳｉｎＬの電圧Ｅｌｉｎに対して同相であっても、Ｌｃｈドライバユニット６７Ｌの入力電圧Ｅｏｕｔとしては逆相で加わる。
【００４１】
図１０は、図８のＬｃｈドライバユニット６７Ｌに掛かる入力電圧Ｅｏｕｔの周波数特性図であり、横軸は周波数（Ｈｚ）、及び縦軸は入力電圧Ｅｏｕｔ（ｄＢ）である。この図１０では、式（１）の計算結果が示されている。
図１０において、矢印７１の波形では、図８中の入力端子６３ＬにＬｃｈ音声信号ＳｉｎＬを加えた時の、Ｌｃｈドライバユニット６７Ｌに掛かる入力電圧Ｅｏｕｔの周波数特性が示されている。ここで、入力端子６３Ｌに加わるＬｃｈ音声信号ＳｉｎＬに対して、入力端子６３ＬＲと接地端子６３ＬＧとの間のインピーダンスは０Ωと仮定する。
入力電圧Ｅｏｕｔは、周波数２０Ｈｚを基準とした時、矢印７１で示すように、周波数１０ｋＨｚ以上が相対的に４．５ｄＢ上昇している（即ち、相対的に高周波領域の感度が４．５ｄＢ上昇する）。これは、Ｌｃｈドライバユニット６７Ｌの振動系の質量が約６０％になった状態に相当し、従来のようなドライバユニット側の改善では、現在のところでは略実現不可能な性能と言える。最近は大容量の積層セラミックコンデンサ等が開発され、図２中のＲＣのイコライザ６５Ｌは、図１８のＬＣのイコライザに比べ、十分に小さくできる。
つまり、図１０の周波数特性では、矢印７１に示すように、高周波領域が増強特性になっている。これは、図４のＬｃｈスピーカ４０Ｌ（又はＲｃｈスピーカ４０Ｒ）付近に定位する音波へのイコライザ特性となる。
【００４２】
図１１は、図９のＬｃｈドライバユニット６７Ｌに逆位相で加えられるＲｃｈ音声信号ＳｉｎＲの電圧（ｄＢ）の周波数特性を示す図である。この図１１では、式（２）の計算結果が示されている。
図１１において、矢印７２で示すように、主に、中周波領域が増強特性になっている。
【００４３】
図１２は、図８及び図９のＬｃｈドライバユニット６７Ｌに掛かる入力電圧Ｅｏｕｔの周波数特性図であり、横軸は周波数（Ｈｚ）、及び縦軸は入力電圧ＥＬｏｕｔ（ｄＢ）である。
図１２において、矢印７１の実線の波形は、図１０と同一の波形である。矢印７３の破線の波形は、図９中の入力端子６３Ｌ，６３ＬＲに同位相同レベルの音声信号ＳｉｎＬ，ＳｉｎＲを加えた時の、Ｌｃｈドライバユニット６７Ｌに掛かる入力電圧Ｅｏｕｔの周波数特性を示す図である。ここで、入力端子６３ＬＲに加わる音声信号ＳｉｎＲに対して、入力端子６３Ｌと接地端子６３ＬＧとの間のインピーダンスは０Ωと仮定する。
即ち、矢印７３の波形は、矢印７１の波形と図１１の矢印７２の波形とを、（矢印７１−矢印７２）で合成した波形である。矢印７３の波形は、入力端子６３Ｌ，６３ＬＲに、同相同レベルの音声信号ＳｉｎＬ，ＳｉｎＲが加えられた状態で、図４の正面中央の音像Ｆｃに定位する音波へのイコライザ特性となる。この時、上述したように、Ｌｃｈドライバユニット６７において、音声信号ＳｉｎＬに対して音声信号ＳｉｎＲが逆位相で加わっている。
低周波領域及び高周波領域への影響は少ないが、中周波領域が弱められる特性となっている。これにより、正面中央に定位する成分のうち、中周波領域（例えば、ボーカル域）が弱められる。
つまり、矢印７３の波形は、正面中央に定位する音像Ｆｃの低音（主にベース等）や高音（主にシンバル等）への影響は少なく、１ｋＨｚ付近を弱めている。これは、正面中央の音像Ｆｃの前方定位を狙っている。
【００４４】
図１３は、図８及び図９のＬｃｈドライバユニット６７Ｌに掛かる入力電圧Ｅｏｕｔの周波数特性図であり、横軸は周波数（Ｈｚ）、及び縦軸は入力電圧Ｅｏｕｔ（ｄＢ）である。
図１３において、矢印７１の実線の波形は、図１０と同一の波形である。矢印７４の破線の波形では、図９中の２入力端子６３Ｌ，６３ＬＲに、逆位相同レベルの音声信号ＳｉｎＬ，ＳｉｎＲを加えた時の、Ｌｃｈドライバユニット６７Ｌに掛かる入力電圧Ｅｏｕｔの周波数特性が示されている。ここで、入力端子６３ＬＲに加わる音声信号ＳｉｎＲに対して、入力端子６３Ｌと接地端子６３ＬＧとの間のインピーダンスは０Ωと仮定する。
即ち、矢印７４の波形は、矢印７１の特性に、図１１の矢印７２の信号を（矢印７３＋矢印７２）で加えた時の合成特性の波形である。この矢印７４の波形は、図２で説明したように、音声信号ＳｉｎＬと音声信号ＳｉｎＲとに逆相で振り分けられる成分、つまり、図５中のＬｃｈスピーカ４０Ｌの外側に定位する成分の特性となる。この時、上述したように、ドライバユニット６７Ｌにおいて、音声信号ＳｉｎＬに対して逆位相の音声信号ＳｉｎＲが加わるため、矢印７４の波形のように音圧が上がっている。
低周波領域及び高周波領域への影響は少ないが、中周波領域が強められる特性となっている。Ｒｃｈドライバユニット６７Ｒも同様である。これにより、広がり感が増す。
このように、図１及び図２のカナル型イヤホンによれば、イコライザ６５Ｌ，６５Ｒにより、相対的な高周波領域の特性が改善される。更に、イコライザ６６Ｌ，６６Ｒにより、反対側のチャンネルの音声信号が逆位相で加えられるので、図４（図５も同じ）中の正面に定位する音像Ｆｃのレベルが弱まるが、左側の音像Ｌｓや右側の音像Ｒｓのレベルは上がり、広がり感が増す。
【００４５】
（実施例１の効果）
本実施例１によれば、次の（ａ）〜（ｄ）のような効果がある。
（ａ）  ケーブルユニット５０における同一形状のＬｃｈプラグ５３Ｌ及びＲｃｈプラグ５３Ｒの左右を気にすることなく、同一形状のＬｃｈジャック６２Ｌ及びＲｃｈジャック６２Ｒへ挿入しても、Ｌｃｈイヤホン本体６０Ｌ及びＲｃｈイヤホン本体６０Ｒ内の回路部分と正しく接続され、入力されたステレオ信号が正しく再生される。これにより、使い勝手を向上できる。
（ｂ）  従来の図１８のイヤホンでは、ハウジング、ドライバユニット及び高域増強回路１０等により音質を改善しているが、イヤホンは原理的に高周波領域の特性が低下する。これを従来のように、ドライバユニットで改善するのは、非常に難しい。これに対して本実施例１よれば、抵抗Ｒ１及び容量Ｃ１の並列回路により構成されたイコライザ６５Ｌ，６５Ｒを設けているので、相対的ではあるが、高周波領域の特性を簡単に改善できる。改善量や改善特性も、容量Ｃ１及び抵抗Ｒ１の値で容易に変更及び調整ができる。
（ｃ）  従来のイヤホンでは、Ｌｃｈイヤホン本体には、Ｌｃｈ音声信号だけを供給し、Ｒｃｈイヤホン本体には、Ｒｃｈ音声信号だけを供給している。これに対して、本実施例１では、Ｌｃｈイヤホン本体６０Ｌに、逆位相のＲｃｈ音声信号を加え、Ｒｃｈイヤホン本体６０Ｒに、逆位相のＬｃｈ音声信号を加えているので、音場を調整することができる。この音場を調整する機能は、従来にはないものである。
（ｄ）  音場の調整量や周波数特性も、イコライザ６５Ｌ，６５Ｒ，６６Ｌ，６６Ｒの容量Ｃ１，Ｃ２と抵抗Ｒ１，Ｒ２の値で、容易に変更及び調整ができる。このように、容量Ｃ１，Ｃ２と抵抗Ｒ１，Ｒ２の値で変更及び調整できるので、従来のインダクタＬと容量Ｃの値による変更及び調整に比べ、小型及び安価である。抵抗Ｒ１，Ｒ２及び容量Ｃ１，Ｃ２は、受動部品なので電源等を必要とせず、現在のモデルの性能（特性）改善が容易である。この場合、３線式のケーブルユニット５０が必要になるが、この製造も容易である。
【実施例２】
【００４６】
（実施例２の構成）
図１４は、本考案の実施例２におけるリケーブル式のカナル型イヤホンを示す概略の構成図であり、実施例１を示す図１中の要素と共通の要素には、共通の符号が付されている。
本実施例２のリケーブル式のカナル型イヤホンは、実施例１と同様のケーブルユニット５０を、実施例１とは異なる構成のＬｃｈイヤホン本体８０Ｌ及びＲｃｈイヤホン本体８０Ｒに対して挿脱自在に挿着する構成になっている。
本実施例２のＬｃｈイヤホン本体８０Ｌは、実施例１と同様のハウジング６１Ｌを有している。ハウジング６１Ｌ内には、実施例１と同様のＬｃｈジャック６２Ｌ及びＬｃｈドライバユニット６７Ｌが設けられているが、回路部分は除去されている。Ｌｃｈジャック６２Ｌの出力端子６２Ｌａにおいて、Ｌ端子が、ドライバユニット６７Ｌの＋側入力端子に接続され、Ｇ端子が、ドライバユニット６７Ｌの−側入力端子に接続されている。
同様に、Ｒｃｈイヤホン本体８０Ｒは、実施例１と同様のハウジング６１Ｌを有している。ハウジング６１Ｌ内には、実施例１と同様のＲｃｈジャック６２Ｒ及びＲｃｈドライバユニット６７Ｒが設けられているが、回路部分は除去されている。Ｒｃｈジャック６２Ｒの出力端子６２Ｒａにおいて、Ｒ端子が、ドライバユニット６７Ｒの＋側入力端子に接続され、Ｇ端子が、ドライバユニット６７Ｒの−側入力端子に接続されている。
【００４７】
（実施例２の動作）
本実施例２のカナル型イヤホンを使用する場合、ユーザは、ケーブルユニット５０における同一形状のＬｃｈプラグ５３Ｌ及びＲｃｈプラグ５３Ｒを、Ｌｃｈイヤホン本体８０Ｌ内のＬｃｈジャック６２Ｌ及びＲｃｈイヤホン本体８０Ｒ内のＲｃｈジャック６２Ｒに、それぞれ挿着する。この際、同一形状のＬｃｈプラグ５３Ｌ及びＲｃｈプラグ５３Ｒは、左右を気にすることなく、同一形状のＬｃｈジャック６２Ｌ及びＲｃｈジャック６２Ｒへ挿入しても、Ｌｃｈドライバユニット６７Ｌ及びＲｃｈドライバユニット６７Ｒと正しく接続される。そのため、入力されたステレオ信号のうちのＬｃｈ音声信号ＳｉｎＬが、Ｌｃｈドライバユニット６７Ｌにて再生され、そのステレオ信号のうちのＲｃｈ音声信号ＳｉｎＲが、Ｒｃｈドライバユニット６７Ｒにて再生される。
【００４８】
（実施例２の効果）
ケーブルユニット５０における同一形状のＬｃｈプラグ５３Ｌ及びＲｃｈプラグ５３Ｒの左右を気にすることなく、同一形状のＬｃｈジャック６２Ｌ及びＲｃｈジャック６２Ｒへ挿入しても、Ｌｃｈドライバユニット６７Ｌ及びＲｃｈドライバユニット６７Ｒと正しく接続され、入力されたステレオ信号が正しく再生される。これにより、使い勝手を向上できる。
【実施例３】
【００４９】
（実施例３の構成）
図１５は、本考案の実施例３におけるバランス駆動対応のリケーブル式のカナル型イヤホンを示す概略の構成図であり、実施例２を示す図１４中の要素と共通の要素には、共通の符号が付されている。
バランス駆動対応のイヤホンとは、ステレオ信号を構成するＬｃｈ音声信号及びＲｃｈ音声信号において、Ｌｃｈ音声信号の接地電位とＲｃｈ音声信号の接地電位とを分離し、Ｌｃｈ音声信号とＲｃｈ音声信号との相互干渉を防止して再生音の音質向上を図ったイヤホンである。
本実施例３におけるバランス駆動対応のリケーブル式のカナル型イヤホンは、実施例２とは異なる構成のケーブルユニット５０Ａ、Ｌｃｈイヤホン本体８０ＬＡ、及びＲｃｈイヤホン本体８０ＲＡを有している。
本実施例３のケーブルユニット５０Ａは、４極共通プラグ５１Ａを有し、この４極共通プラグ５１Ａに、４線式ケーブル５２Ａの一端が接続されている。４線式ケーブル５２Ａの他端側は２本に分岐しており、この２本の分岐ケーブルの他端に、同一形状の２つの４極Ｌｃｈプラグ５３ＬＡ及び４極Ｒｃｈプラグ５３ＲＡがそれぞれ接続されている。
４極共通プラグ５１Ａは、例えば、口径４．４φ（ｍｍ）の小形単頭プラグで構成され、導電部として、Ｌ正相（Ｌ＋）音声信号部、Ｌ逆相（Ｌ−）音声信号部、Ｒ正相（Ｒ＋）音声信号部、Ｒ逆相（Ｒ−）音声信号部、及び、無接続（ＮＣ）部を有している。４極Ｌｃｈプラグ５３ＬＡ及び４極Ｒｃｈプラグ５３ＲＡは、例えば、口径２．５φ（ｍｍ）の超小形単頭プラグでそれぞれ構成されている。この超小形単頭プラグは、導電部として、Ｌ＋音声信号部、Ｌ−音声信号部、Ｒ＋音声信号部、及び、Ｒ−音声信号部を有している。
【００５０】
本実施例３のＬｃｈイヤホン本体８０ＬＡは、実施例２と同様のハウジング６１Ｌを有している。ハウジング６１Ｌ内には、４極Ｌｃｈジャック６２ＬＡ及びＬｃｈドライバユニット６７Ｌが設けられている。４極Ｌｃｈジャック６２ＬＡの４つの出力端子Ｌ＋，Ｌ−，Ｒ＋，Ｒ−のうち、Ｌ＋端子が、ドライバユニット６７Ｌの＋側入力端子に接続され、Ｌ−端子が、ドライバユニット６７Ｌの−側入力端子に接続されている。
同様に、Ｒｃｈイヤホン本体８０ＲＡは、実施例２と同様のハウジング６１Ｒを有している。ハウジング６１Ｒ内には、４極Ｌｃｈジャック６２ＬＡと同一形状の４極Ｒｃｈジャック６２ＲＡとＲｃｈドライバユニット６７Ｒとが設けられている。４極Ｒｃｈジャック６２ＲＡの４つの出力端子Ｌ＋，Ｌ−，Ｒ＋，Ｒ−のうち、Ｒ＋端子が、ドライバユニット６７Ｒの＋側入力端子に接続され、Ｒ−端子が、ドライバユニット６７Ｒの−側入力端子に接続されている。
【００５１】
（実施例３の動作）
本実施例３のバランス駆動対応のカナル型イヤホンを使用する場合、ユーザは、ケーブルユニット５０Ａにおける同一形状の４極Ｌｃｈプラグ５３ＬＡ及び４極Ｒｃｈプラグ５３ＲＡを、Ｌｃｈイヤホン本体８０ＬＡ内の４極Ｌｃｈジャック６２ＬＡ及びＲｃｈイヤホン本体８０ＲＡ内の４極Ｒｃｈジャック６２ＲＡに、それぞれ挿着する。この際、同一形状の４極Ｌｃｈプラグ５３ＬＡ及び４極Ｒｃｈプラグ５３ＲＡは、左右を気にすることなく、同一形状の４極Ｌｃｈジャック６２ＬＡ及び４極Ｒｃｈジャック６２ＲＡへ挿入しても、Ｌｃｈドライバユニット６７Ｌ及びＲｃｈドライバユニット６７Ｒと正しく接続される。そのため、入力されたステレオ信号のうちのＬ＋，Ｌ−音声信号が、Ｌｃｈドライバユニット６７Ｌにて再生され、そのステレオ信号のうちのＲ＋，Ｒ−音声信号が、Ｒｃｈドライバユニット６７Ｒにて再生される。
【００５２】
（実施例３の効果）
ケーブルユニット５０Ａにおける同一形状のＬｃｈプラグ５３ＬＡ及びＲｃｈプラグ５３ＲＡの左右を気にすることなく、同一形状のＬｃｈジャック６２ＬＡ及びＲｃｈジャック６２ＲＡへ挿入しても、Ｌｃｈドライバユニット６７Ｌ及びＲｃｈドライバユニット６７Ｒと正しく接続され、入力されたステレオ信号が再現性良く高音質にて再生される。これにより、使い勝手を向上できる。
【００５３】
（実施例１〜３の変形例）
本考案は、上記実施例１〜３に限定されず、種々の利用形態や変形が可能である。この利用形態や変形例としては、例えば、次の（１）〜（４）のようなものがある。
（１）  実施例１では、カナル型イヤホンのハウジング６１Ｌ，６１Ｒ内にイコライザ６５Ｌ，６５Ｒ，６６Ｌ，６６Ｒを設けているが、このイコライザ６５Ｌ，６５Ｒ，６６Ｌ，６６Ｒを、ハウジング６１Ｌ，６１Ｒの外部に設けても良い。これにより、実施例１の（ａ）〜（ｄ）と略同様の効果が得られる。
（２）  実施例１のカナル型イヤホンは、図１及び図２以外の構成及び電気回路に変更しても良い。例えば、イコライザ６５Ｌ，６５Ｒ，６６Ｌ，６６Ｒには、他の回路要素等を付加しても良い。又、イコライザ６６Ｌ，６６Ｒは、抵抗Ｒ２及び容量Ｃ２の直列回路に代えて、他の回路構成の位相反転回路により構成しても良い。
（３）  実施例１〜３のケーブルユニット５０，５０Ａは、他の極性のプラグ５１，５１Ａ，５３Ｌ，５３Ｒ，５３ＬＡ，５３ＲＡやケーブル５２，５２Ａの構成に変更しても良い。
（４）  本考案は、実施例１〜３のカナル型イヤホンの他に、インナイヤー型イヤホン等の他の形状のイヤホンや、ヘッドホン等の音響機器にも適用でき、実施例１〜３と略同様の作用効果を奏することができる。
【符号の説明】
【００５４】
５０，５０Ａ      ケーブルユニット
５１，５１Ａ      共通プラグ
５２，５２Ａ      ケーブル
５３Ｌ，５３ＬＡ      Ｌｃｈプラグ
５３Ｒ，５３ＲＡ      Ｒｃｈプラグ
６０Ｌ，６０Ｒ，８０Ｌ，８０Ｒ，８０ＬＡ，８０ＲＡ      イヤホン本体
６１Ｌ，６１Ｒ      ハウジング
６２Ｌ，６２ＬＡ      Ｌｃｈジャック
６２Ｒ，６２ＲＡ      Ｒｃｈジャック
６５Ｌ，６５Ｒ，６６Ｌ，６６Ｒ      イコライザ
６７Ｌ，６７Ｒ      ドライバユニット
【図１】
0003222314.tif 000003
【図２】
0003222314.tif 000004
【図３】
0003222314.tif 000005
【図４】
0003222314.tif 000006
【図５】
0003222314.tif 000007
【図６】
0003222314.tif 000008
【図７】
0003222314.tif 000009
【図８】
0003222314.tif 000010
【図９】
0003222314.tif 000011
【図１０】
0003222314.tif 000012
【図１１】
0003222314.tif 000013
【図１２】
0003222314.tif 000014
【図１３】
0003222314.tif 000015
【図１４】
0003222314.tif 000016
【図１５】
0003222314.tif 000017
【図１６】
0003222314.tif 000018
【図１７】
0003222314.tif 000019
【図１８】
0003222314.tif 000020
【図１９】
0003222314.tif 000021
【図２０】
0003222314.tif 000022